Podtech/llm-jp-corpus-v4-ja_patent huggingface dataset:
(57)【要約】      （修正有）【課題】チャツク付袋の袋内を簡単に真空にすることができる逆止弁付チャツク袋を提供する。【解決手段】樹脂からなる袋に、物品を挿入口より、挿入して、完全密閉式チャツク１を閉める、逆止弁２にストローを挿入して、袋を圧縮する、袋内の空気は、逆止弁２のストローより袋の外に排出すると、袋内は真空になり、逆止弁２のストローを抜き取ると、逆止弁２が働きによつて、袋内は空気の入ることがなく、真空袋になる。【選択図】図１
0003207840.tif 000002
【実用新案登録請求の範囲】
【請求項１】
樹脂からなる袋の、物品挿入口に完全密封式チャツクの付いた袋であって、袋の底部に逆止弁が取り付けてある逆止弁付チャツク袋。
【請求項２】
袋の挿入口に完全密封式チャツクの付いてある、逆止弁付チャツク袋。
【請求項３】
袋の底部に逆止弁の付いてある、逆止弁付チャツク袋。
【考案の詳細な説明】
【技術分野】
【０００１】  本考案は、樹脂からなる袋の、逆止弁付チャツク袋に関する。
【背景技術】
【０００２】  樹脂からなる袋の、物品挿入口に完全密封式チャツクが付いて、袋の底部に逆止弁が付いている袋の考案である。【０００３】  逆止弁付袋は、物品挿入口が付いていないため、物品挿入が出来ない。【０００４】  チャツク付袋は、逆止弁が付いていないため、よつて、完全真空袋には使用できない。
【先行技術文献】
【特許文献】
【特許文献】  参考文献  特許第５６３３８２４号  発明の名称  製袋機
【非特許文献】
【非特許文献】  参考文献  特許録Ｈ２８０８３０−０８号  発明の名称  逆止弁付製袋装置
【考案の概要】
【考案が解決しようとする課題】
【０００５】  チャツク付袋の袋内を真空にする事を課題とする。【０００６】  チャツク付袋の袋内を簡単に真空にする事を課題とする。【０００７】  チャツク付袋の袋内を何度でも真空にする事を課題とする。【０００８】  逆止弁付完全密封チャツク袋が安価に大量に出来る事を課題とする。
【課題を解決するための手段】
【０００９】  逆止弁付に完全真空チャツクを付ける手段である。【００１０】  逆止弁付袋は、先の発明にょつて、（特許出願整理番号Ｈ２８０８３０−０８）自動的に製袋出来るため、安価に大量に製袋ができる手段である。【００１１】
【考案の実施するための形態】
【００１２】  本考案の実施の形態を図面を参照しながら詳細に説明する。なお、以下の説明にあたって、同一構成要件については、同一符号を付けて、重複した説明を省略する。
【００１３】  樹脂からなる袋の、物品挿入口に完全密封式チャツク１の付いた袋である、袋の底部に逆止弁２が取り付けてある逆止弁付チャツク袋３。
【００１４】  袋の挿入口に完全密封式チャツク１が付いている。
【００１５】  袋の底部に逆止弁２が付いている。
【００１６】  袋に物品を挿入口より、挿入して、完全密閉式チャツク１を閉める。
【００１７】    逆止弁２にストローを挿入する。
【００１８】    袋を圧縮する、袋内の空気は、逆止弁２のストローより袋の外に排出する。
【００１９】    袋内は真空になり、逆止弁２のストローを抜き取る。
【００２０】    袋内は、逆止弁２の働きによつて、ストローを抜いた後も、袋内は完全真空袋になる、又、空気の入ることがない。
【００２１】    逆止弁２のストローに変わる、真空ポンプを使用する事もある。
【産業上利用可能性】
【００２２】  袋に物品を挿入口より、挿入して、完全密閉式チャツクを閉める、逆止弁にストローを挿入して、袋を圧縮する、袋内の空気は、逆止弁のストローより袋の外に排出すると、袋内は真空になり、逆止弁のストローを抜き取ると、逆止弁が働きによつて、空気のはいることがなく、真空袋になる。
【００２３】  袋内は、真空と同時に物品等に含まれる、水等の排出する事がない。
【００２４】  逆止弁付チャツク袋が、自動製袋機械で製袋できるので、大量に安価に製袋することができる。
【使用目的】
物品の真空包装、医薬品の使用後の廃棄物入袋、袋の容積が小さくなる、
【図面の簡単な説明】
【図１】  逆止弁付チャツク袋の全体説明図。
【符号の説明】      １  完全密封式チャツク
２  逆止弁
３  逆止弁付チャツク袋
【図１】
0003207840.tif 000003
(57)【要約】      （修正有）【課題】紙など柔らかい材質の表紙で造られたファイルをファイルの開閉側下部がへたって（曲がって）しまうことなく、棚の奥隅に安定して設置できるブックエンドを提供する。【解決手段】ブックエンド１ａ、１ｂは、台板と立板を有し、台板を書棚等の奥隅に向けて置いたときに、立板の左右端がそれぞれ棚の奥板２１と側板２２に密着し、且つ台板の端部が棚の奥板と側板の両方に又はどちらか一方に密着するように構成する。ファイル開閉側を圧縮することにより強度を与え、書棚等のファイル３を綺麗に整列させる。【選択図】図２
0003207839.tif 000002
【実用新案登録請求の範囲】
【請求項１】
台板と立板で構成され、台板を書棚等の奥隅に向けて置いたときに、立板の左右端がそれぞれ棚の奥板と側板に密着し、且つ台板の端部が棚の奥板と側板の両方に又はどちらか一方に密着することで、棚の奥隅に安定して設置できるブックエンド
【考案の詳細な説明】
【技術分野】
【０００１】  本考案は、書棚等に収納する紙ファイル等がへたる（曲がる）ことを防止するためのブックエンドに関するものである。
【背景技術】
【０００２】  現在市販されている本立て（ブックエンド）で紙ファイル等がへたるのを防止し整列した状態を維持することは困難である。
【考案の概要】
【考案が解決しようとする課題】
【０００３】  紙など柔らかい材質の表紙で造られたファイルを棚に並べるとファイルの開閉側下部がへたって（曲がって）しまうことにより、ファイルが倒れて綺麗に整列させられない。これは、ファイルの開閉側に背表紙がないために開閉側の強度が弱いことが原因である。このため、職場内で特定の几帳面な人が毎日のように棚ファイルの整列に大きな労力を費やしている。
【課題を解決するための手段】
【０００４】  図２のように本考案の一例であるブックエンド（図１の１ａ及び１ｂ）を台板１２ａ及び１２ｂの直角を成し得る部分が書棚等２の両奥隅に、また立板１１ａ及び１１ｂの左右端がそれぞれ棚の奥板２１と側板２２に密着するように置くことで、棚の手前から奥へ向けて棚空間下部の横幅が窄められる。これにより、不特定の者が頻繁に紙ファイル等３を取り出しても、棚に戻す際にファイルを奥へ押し込む力が、棚奥で（棚を正面に見て）横方向の圧縮力となりファイル開閉側に強度を得ることから、紙ファイル等のへたれ（曲がり）を防止できる。
【考案の効果】
【０００５】  仮に、棚の奥でファイルを圧縮するために一般的な本立てを図２のように置いたとしても、棚隅と本立てに隙間が生じると共に、本立ての台板とファイルが干渉してしまう。また、ファイルを出し入れするたびに本立てがずれるため、その効果を持続させることは困難である。【０００６】  図３は、本考案の一例であるブックエンド１ａ及び１ｂを台板１２ａと１２ｂが接するように置き、上から見て立板１１ａと１１ｂでＶ字を形成させている。棚幅に対してファイルの数が若干少ない場合やファイルの背表紙側に対して開閉側の厚みが非常に薄い場合に、この形成体を棚奥の中央部に置くことで、ファイルをより効率的に圧縮することができる。
なお、この形成体は台板１２ａと１２ｂを重ね合わせることでＶ字の角度を調整できる。【０００７】  本考案のブックエンドは、棚以外にも机の引出しなどファイルを立てて収納する箱等で使用しても紙ファイル等がへたることを防止する効果が得られる。なお、この場合の使用にあっては、ブックエンド１ａ、１ｂの違いに拘らずブックエンドの向きを変えることで箱の手前、奥のどちらにも使用可能である。【０００８】  さらに、本考案のブックエンドは、書棚等にファイルが一定量溜まった状態で使用することでその効果を発揮するが、一定量のファイルが溜まるまでの間は一般的なブックエンドとして使用できる。
【図面の簡単な説明】
【０００９】
【図１】本考案の鉄等適宜素材にて形成されたブックエンドの一例である。このブックエンドは、台板の直角を成す位置の異なる２品（１ａ、１ｂ）により書棚等の両奥隅に対象に設置できる。
【図２】このブックエンドを使いファイルを並べた棚の水平断面図である。
【図３】このブックエンド１ａ及び１ｂを合わせたもので、棚奥の中央部に設置できる形成体の平面図である。
【考案を実施するための形態】
【００１０】  本考案によるブックエンドを棚奥に置くだけで、取り出されたファイルを棚奥に戻す作業により自動的に紙ファイル等が整列した状態を維持できる。
【実施例】
【００１１】  図２にその実施例を示した。
【符号の説明】
【００１２】  １ａ、１ｂ  「ファイルへたり防止ブックエンド」本体の一例
１１ａ、１１ｂ  ブックエンドの立板
１２ａ、１２ｂ  ブックエンドの台板
２  書棚等
２１  棚の奥板
２２  棚の側板
３  紙ファイル等
【図１】
0003207839.tif 000003
【図２】
0003207839.tif 000004
【図３】
0003207839.tif 000005
(57)【要約】      （修正有）【課題】掃除を容易に行うことができると共に、液体を収納する容器の転倒を未然に防止することができる洗面カウンターを提供する。【解決手段】洗面カウンター１０は、床上に設置された箱型形状の収納部２０を有する。収納部２０上には、カウンター本体３０が設置されている。このカウンター本体３０は、表面が平面状に形成された平面部４０と、断面が凹型形状の洗面ボウル５０とを一体成形するようにして形成されている。平面部４０の上面と洗面ボウル５０の内側面とによって形成される角部のうち、給水部７０Ａ及び７０Ｂの設置位置付近の角部の一部を切欠くようにして、断面がＬ字状に形成された階段状の切欠段部８０を備える。【選択図】図１
0003207879.tif 000002
【実用新案登録請求の範囲】
【請求項１】
下方に突出するようにして断面が凹型形状に形成され、底面の中央部分に排出口が設けられた洗面ボウルと、
上面が平面状に形成され、前記洗面ボウルの上端部の周囲を取り囲むようにして、前記洗面ボウルと一体的に成形するように形成された平面部と、
前記平面部上であって、前記洗面ボウルの背面側に位置する付近に設置された給水部と、
前記平面部の上面と前記洗面ボウルの内側面とによって形成される角部のうち、前記給水部の設置位置付近の前記角部の一部を切欠くようにして、断面がＬ字状に形成された階段状の切欠段部とを備え、
前記切欠段部の底面は、前記洗面ボウルの底面より高く、かつ前記平面部の上面より低い位置に形成された
ことを特徴とする洗面カウンター。
【考案の詳細な説明】
【技術分野】
【０００１】
本考案は、洗面カウンターに関する。
【背景技術】
【０００２】
従来、洗顔や手洗いなどを行うことを目的として、種々の洗面カウンターが提案及び開発されている。
【考案の概要】
【考案が解決しようとする課題】
【０００３】
本考案は、掃除を容易に行うことができると共に、液体を収納する容器の転倒を未然に防止することができる洗面カウンターを提供することを目的とする。
【課題を解決するための手段】
【０００４】
本考案の一態様による洗面カウンターは、
下方に突出するようにして断面が凹型形状に形成され、底面の中央部分に排出口が設けられた洗面ボウルと、
上面が平面状に形成され、前記洗面ボウルの上端部の周囲を取り囲むようにして、前記洗面ボウルと一体的に成形するように形成された平面部と、
前記平面部上であって、前記洗面ボウルの背面側に位置する付近に設置された給水部と、
前記平面部の上面と前記洗面ボウルの内側面とによって形成される角部のうち、前記給水部の設置位置付近の前記角部の一部を切欠くようにして、断面がＬ字状に形成された階段状の切欠段部とを備え、
前記切欠段部の底面は、前記洗面ボウルの底面より高く、かつ前記平面部の上面より低い位置に形成された
ことを特徴とする。
【考案の効果】
【０００５】
本考案の洗面カウンターによれば、掃除を容易に行うことができると共に、液体を収納する容器の転倒を未然に防止することができる。
【図面の簡単な説明】
【０００６】
【図１】本考案の実施の形態による洗面カウンターの構成を示す斜視図である。
【考案を実施するための形態】
【０００７】
以下、本考案の実施の形態について図面を参照して説明する。
【０００８】
図１に、本考案の実施の形態による洗面カウンター１０の構成を示す。洗面カウンター１０は、床上に設置された箱型形状の収納部２０を有する。この収納部２０の前面には、扉２０Ａ及び２０Ｂが設けられ、扉２０Ａ及び２０Ｂを開閉することにより、収納部２０内に所望の収納物を収納し得るようになされている。
【０００９】
収納部２０上には、カウンター本体３０が設置されている。このカウンター本体３０は、表面が平面状に形成された平面部４０と、断面が凹型形状の洗面ボウル５０とを一体成形するようにして形成されている。
【００１０】
洗面ボウル５０は、平面部４０から下方に突出するようにして断面が凹型形状に形成され、当該洗面ボウル５０の底面の中央部分には、排出口６０が設けられている。
【００１１】
表面が平面状に形成された平面部４０は、洗面ボウル５０の周囲を取り囲むようにして、表面がロ字状に、洗面ボウル５０と一体的に成形するように形成されている。
【００１２】
カウンター本体３０の平面部４０上であって、かつ洗面カウンター１０の背面側に位置する付近には、給水部７０Ａ及び７０Ｂが設置されている。
【００１３】
また、本実施の形態の場合、平面部４０の上面と洗面ボウル５０の内側面とによって形成される角部のうち、給水部７０Ａ及び７０Ｂの設置位置付近の角部の一部を切欠くようにして、断面がＬ字状の切欠段部８０が、階段状に形成されている。
【００１４】
この切欠段部８０の底面は、洗面ボウル５０の底面より高く、かつ平面部４０の上面より低い位置に形成されている。
【００１５】
すなわち、本実施の形態の場合、下方に突出するようにして断面が凹型形状に形成され、底面の中央部分に排出口６０が設けられた洗面ボウル５０と、上面が平面状に形成され、洗面ボウル５０の上端部の周囲を取り囲むようにして、洗面ボウル５０と一体的に成形するように形成された平面部４０と、平面部４０上であって、洗面ボウル５０の背面側に位置する付近に設置された給水部７０Ａ及び７０Ｂと、平面部４０の上面と洗面ボウル５０の内側面とによって形成される角部のうち、給水部７０Ａ及び７０Ｂの設置位置付近の角部の一部を切欠くようにして、断面がＬ字状に形成された階段状の切欠段部８０とを備え、切欠段部８０の底面は、洗面ボウル５０の底面より高く、かつ平面部４０の上面より低い位置に形成されている。
【００１６】
この切欠段部８０の底面上に、石鹸液やうがい液などの液体を収納した液体収納容器９０を載置すれば、液体収納容器９０から液体が漏れ出て汚れが生じた場合であっても、平面部４０に液体収納容器９０を載置した際に生じる汚れと比較して、容易に水掃除を行って汚れを除去することができる。
【００１７】
また、切欠段部８０を形成する３つの内側面（背面側内側面及び対向する２つの内側面）によって、液体収納容器９０が転倒することを未然に防止することができ、液体収納容器９０の転倒によって液体が漏れ出て汚れが生じることを未然に防止することができる。
【００１８】
さらに、切欠段部８０の底面上に液体収納容器９０を載置すれば、平面部４０上に液体収納容器９０を載置する場合と比較して、液体収納容器９０の載置位置を低くすることができ、使用者の身長が低い場合であっても、容易に液体収納容器９０を取り扱うことができるようになる。
【００１９】
このように本実施の形態によれば、掃除を容易に行うことができると共に、液体を収納する容器の転倒を未然に防止することができる。
【符号の説明】
【００２０】
１０  洗面カウンター
３０  カウンター本体
４０  平面部
５０  洗面ボウル
７０  給水部
８０  切欠段部
９０  液体収納容器
【図１】
0003207879.tif 000003
(57)【要約】      （修正有）【課題】通気性の向上とファッション性の向上を図るトランクスパンツを提供する。【解決手段】トランクスパンツの両サイドに図形型カット３、４を施し、強度、ファッション性をもたせるため、端部は、デニム生地１０ｍｍ−５０ｍｍのパッチング形状１、２とし、最上部には、ベルト通し形態のストラップ通し５を持たせる。【選択図】図２
0003207806.tif 000002
【実用新案登録請求の範囲】
【請求項１】
通気性を格段に向上させるため、両サイドに図形型カットを施したことを特徴とするトランクスパンツ。
【請求項２】
カット部の端部は、強度、ファッション性を持たせるためデニム生地１０ｍｍ−５０ｍｍ幅のパッチング形状を特徴とするトランクスパンツ。
【請求項３】
デニム生地の最上部に、ベルト通し形態のストラップ通しを持たせたトランクスパンツである。
【考案の詳細な説明】
【技術分野】
【０００１】本考案は、衣類であるトランクスパンツに関する。
【背景技術】
【０００２】従来のトランクスパンツは、ブリーフに比べては、通気性が有り締めっけが少くないぐらいで、通気性、ファッション性に欠けていた。
【考案の開示】
【考案が解決しようとする課題】
【０００３】通気性の向上とファッション性の向上
【課題を解決するための手段】
【０００４】トランクスパンツの両サイドに図形型カットを施し、強度、ファッション性に端部は、デニム生地１０ｍｍ−５０ｍｍ幅のパッチング形状で最上部にはベルト通し形態のストラップ通しを持たせる。
【考案の効果】
【０００５】通気性が格段に向上し、ストラップも取付けられる事によりファッション性も向上させられる。
【考案を実施するための最良の形態】
【０００６】トランクスパンツの両サイドに図形型をカットし、強度、ファッシヨン性に端部はデニム生地１０ｍｍ−５０ｍｍ幅のパッチング形状で、最上部にベルト通し形態のストラップ通しを持たせる。
【図面の簡単な説明】
【０００７】
【図１】本考案を施工後の正面図である。
【図２】本考案を施工後の側面図である。
【符号の説明】
【０００８】１    デニム生地図形パッチ  花形
２    デニム生地図形パッチ  三角すい形
３    図形型カット部        ハート形
４    図形型カット部        三角すい山形
５    ストラップ通し
１０  トランクスパンツ
【図１】
0003207806.tif 000003
【図２】
0003207806.tif 000004
【手続補正書】
【提出日】平成28年8月24日(2016.8.24)
【手続補正１】
【補正対象書類名】実用新案登録請求の範囲
【補正対象項目名】請求項２
【補正方法】変更
【補正の内容】
【請求項２】
カット部の端部は、強度、ファッション性を持たせるためデニム生地１０ｍｍ−５０ｍｍ幅のパッチング形状を特徴とする請求項１記載のトランクスパンツ。
【手続補正２】
【補正対象書類名】実用新案登録請求の範囲
【補正対象項目名】請求項３
【補正方法】変更
【補正の内容】
【請求項３】
デニム生地の最上部に、ベルト通し形態のストラップ通しを持たせた請求項２記載のトランクスパンツ。
(57)【要約】      （修正有）【課題】爪楊枝を持ち出す際に、わざわざ楊枝を補給する手間がかかる市販の携帯用楊枝入れ等を身に着けなくても、手軽に携帯して使用できる楊枝を提供する。【解決手段】ブックマッチの構造を最大限生かし、ブックマッチ型紙楊枝の本体１から紙楊枝２を切り離し、楊枝として使用するようにした。それに紙楊枝の先端が二角になっているため、尖った爪楊枝２本分の使用価値がある。また、更に応用形における紙楊枝の部位は長さを２倍にして、それを中央から折り曲げることにより、その際にできる隙間に歯のゴミを溜めておけるＶ字型の紙楊枝にもなるようにした。【選択図】図１
0003207821.tif 000002
【実用新案登録請求の範囲】
【請求項１】
主にカート紙でできたブックマッチ型に包装した紙マッチを、その特徴を最大限に生かした、先端が二角あることで通常の爪楊枝の２本分の使用価値がある、紙による楊枝として使用するブックマッチ型紙楊枝。
【請求項２】
前記の本体構造の紙楊枝部分を２倍の長さにし、それを中央から半分に折り曲げることにより、使用時においてＶ字型に形成させ、その際できた隙間に歯のゴミを人目に晒さずに溜めておくことができる請求項１記載のブックマッチ型紙楊枝。
【考案の詳細な説明】
【技術分野】
【０００１】  本考案は、主にカート紙でできたブックマッチ型に形成したマッチを、紙における楊枝として従来の使用分野から用途を発展させた、紙を材質とした楊枝に関するものである。
【背景技術】
【０００２】  先の尖った木や竹でできた爪楊枝を携帯するには、主に市販された携帯用楊枝入れに自ら楊枝を補給して持ち出すか、はたまた箸と一緒の入れ物に忍ばせる等の方法しかなかった。
【先行技術文献】
【特許文献】
【０００３】
【特許文献１】  特開２００８−２６４１３３号  公報
【非特許文献】
【０００４】
【非特許文献１】  「株式会社  カンミ堂  フィルムふせんブックマッチタイプ」
【考案の概要】
【考案が解決しようとする課題】
【０００５】  楊枝を持ち出す道具としては、主に携帯用楊枝入れがあるにはあるが、わざわざ楊枝のためだけに小道具を用いることは、余程楊枝に固執していない限り日常生活の営みをしている中で面倒であり、且つ負担でもある。【０００６】  また、木や竹で製造された尖った爪楊枝だと、使用する際、不意に歯や歯茎に傷をつけてしまうこともある。
【課題を解決するための手段】
【０００７】  本考案は、本来あるブックマッチの構造を最大限生かして、持ち出しに面倒な楊枝を手軽に携帯しやすくした。また、楊枝の材質が紙であることで、使用するにあたって尖った木や竹で製造されたものと比較し、歯や歯茎に傷をつける心配も軽減する。更に、紙楊枝の形状は先端が二角を有していることにより、両角を利用すれば通常の尖った爪楊枝２本分の使用価値がある。【０００８】  併せて使い勝手を増幅させた応用形として、紙楊枝の部位を２倍の長さにしてそれを中央から折り曲げた構成をした、形状がＶ字型の紙楊枝も提供する。これによりＶ字によってできる隙間に歯に付着した食べかすを、人目に晒さず溜めておきつつ使用できる。
【考案の効果】
【０００９】  本考案により、常に爪楊枝を補給しなければならない携帯用楊枝入れを身に着けなくても、安易に楊枝を持ち出すことが可能になった。
【図面の簡単な説明】
【００１０】
【図１】本考案のブックマッチ型紙楊枝の全体の斜視図である。
【図２】本考案における使用形態の正面図である。
【図３】本考案における応用形のブックマッチ型紙楊枝の全体の斜視図である。
【図４】応用形のブックマッチ型紙楊枝における使用形態の立体的斜視図である。
【考案を実施するための形態】
【００１１】  従来あるブックマッチの使用方法と同様に、本体から紙楊枝部分を切り離して楊枝用途として使用するものである。
【実施例】
【００１２】  使用する際の特徴として、本考案の紙楊枝２は先端が二角になっているので、両方の角を使用すれば尖った爪楊枝の２本分の使用価値もある。【００１３】  また、本考案の応用形における紙楊枝３については、形状がＶ字型になっていることで使用時にできる隙間ａに、歯に付着した食べかすを人目に晒すことなく溜めておきつつ使用できる。
【産業上の利用可能性】
【００１４】  煙草の消費が激減している時代背景下において、それに付随するマッチの消費も当然ながら激減しており、ブックマッチの製造過程とほぼ同様な本考案により、マッチ業界に一石を投じようとするものである。
【符号の説明】
【００１５】  １  ブックマッチ型紙楊枝の本体
２  紙楊枝
３  応用形における紙楊枝
ａ  応用形における紙楊枝の使用時にできる隙間
【図１】
0003207821.tif 000003
【図２】
0003207821.tif 000004
【図３】
0003207821.tif 000005
【図４】
0003207821.tif 000006
【手続補正書】
【提出日】平成28年9月14日(2016.9.14)
【手続補正１】
【補正対象書類名】実用新案登録請求の範囲
【補正対象項目名】全文
【補正方法】変更
【補正の内容】
【実用新案登録請求の範囲】
【請求項１】
主にカート紙でできている、先端が二角ある棒状の紙を楊枝用途とし、ブックマッチ型に包装することを特徴とした、ブックマッチ型紙楊枝。
【請求項２】
紙楊枝部を２倍の長さにし、中央から半分に折り曲げることによって、Ｖ字型に形成された、請求項１に記載のブックマッチ型紙楊枝。
(57)【要約】      （修正有）【課題】隣のベランダ内のゴミ等の侵入を防止し、フィルター機能で雨水のみ排水口に流し、掃除区画区分を明確にすることができる仕切り板を提供する。【解決手段】ベランダ手前側からベランダの手摺側に渡って隙間を塞ぎ手摺側に設けられている側溝３に嵌る部位にフィルター部分２を持たせたフィルター付仕切り板１を設置し、雨水等のゴミ以外の物を排水口より排出することができる。【選択図】図２
0003207822.tif 000002
【実用新案登録請求の範囲】
【請求項１】
集合住宅のベランダ床と防火壁の隙間を塞ぐための仕切り板であって、ベランダ手前側からベランダの手摺側に渡って隙間を塞ぐための長さを有し、かつ手摺側に設けられている側溝部に嵌る部位を有し当該側溝部に嵌る部位にフィルター機構を持たせることを特徴とする仕切り板。
【考案の詳細な説明】
【技術分野】
【０００１】消防用ベランダ防火壁下部隙間を塞ぐ物品を提供する。
【背景技術】
【０００２】従来、消防用ベランダ防火壁下部隙間に関しては、ゴミ及びペット等の侵入を防止する対策として物やコンクリートブロックで隙間を隠している。
排水口については防火壁のセンター状にあるところは極めて少なくどちらか一方に設置されており排水口の目詰まりを巡ってどちらが掃除するか等のトラブルが発生している。
【考案の概要】
【考案が解決しようとする課題】
【０００３】隣のベランダ内のゴミ等（植栽の枯れ葉・ハウスダスト・ペットの毛・猫・爬虫類等ペット）の侵入を防止、フィルター機能で雨水のみ排水口に流し掃除区画区分を明確にする手段を提供することである。
【課題を解決するための手段】
【０００４】集合住宅のベランダ床と防火壁の隙間を塞ぐための仕切り板であって、ベランダ手前側からベランダの手摺側に渡って隙間を塞ぐための長さを有し、かつ手摺側に設けられている側溝部に嵌る部位を有し当該側溝部に嵌る部位にフィルター機構を持たせることを特徴とする仕切り板。
【考案の効果】
【０００５】これにより隣の（植栽の枯れ葉・ハウスダスト・ペットの毛・猫・爬虫類等ペット）の遮断・侵入を防止しベランダにおける障害を区別する事が出来、未然に防止しトラブルが発生しない環境を維持することが出来る。
【図面の簡単な説明】
【０００６】
【図１】ベランダ防火壁下部にフィルター付仕切り板を取り付けた図である。
【考案を実施するための形態】
【０００７】上記目的を達成するために、本考案におけるベランダ防火壁下部取付けフィルター付仕切り板（図１：１）を側溝（図１：Ｎｏ，３）にフィルター部分を向けベランダの傾斜角（図１：４）に透き間が空かないように防火壁フレーム部分（図１：５）に両面テープで取り付ける。
このような形でフィルター付仕切り板を設置することで防火壁（図１：６）とベランダ床（図１：７）の透き間からのゴミ等を遮断し側溝のドレン（図１：８）のところにはフィルター部分が有りゴミ等を遮断し雨水のみドレン（排水口）を通って排出できる。
【産業上の利用可能性】
【０００８】本考案は、マンション・公団住宅・アパート・商業ビル、消防用ベランダ防火壁が設置されているベランダに使用するものである。
【符号の説明】
【０００９】１：フィルター付仕切り板
２：フィルター部分
３：側溝
４：ベランダ傾斜角
５：防火壁フレーム（フィルター付仕切り板接着部分）
６：ベランダ防火壁（隔板）
７：ベランダ床
８：ドレン（排水口）及びドレンパイプ
【図１】
0003207822.tif 000003
【図２】
0003207822.tif 000004
【手続補正書】
【提出日】平成28年10月11日(2016.10.11)
【手続補正１】
【補正対象書類名】明細書
【補正対象項目名】０００６
【補正方法】変更
【補正の内容】
【０００６】
【図１】ベランダ防火壁下部にフィルター付仕切り板を取り付けた図である。
【図２】フィルター付仕切り板下部の拡大図である。
(57)【要約】      （修正有）【課題】舟体の垂下板部の高さを短くして、且つ、剛性を確保することを、舟体の加工コストアップや摺り板の固定作業性の悪化を招くことなく実現できるようにした集電舟を提供する。【解決手段】集電舟は、鉄道車両の屋根上で架線に摺接する複数枚の摺り板２と、摺り板２の両側に配置される複数枚の補助摺り板と、摺り板２及び補助摺り板が固定される舟体４とを備えている。尚、摺り板２には、下方にのびるボルト２１が固定されており、このボルト２１を舟体４に貫通させた状態で、ボルト２１に下方からナット２２を締め込むことにより舟体４に摺り板２が固定される。舟体４は、鉄道車両の車長方向両端で下方に屈曲する垂下板部４１を有している。垂下板部４１には、鉄道車両の車長方向外側を向く面に、垂下板部４１の剛性を高める補強板４２がスポット溶接によりに取り付けられている。【選択図】図３
0003207646.tif 000002
【実用新案登録請求の範囲】
【請求項１】
鉄道車両の屋根上で架線に摺接する摺り板と、摺り板が固定される舟体とを備える集電舟であって、
舟体は、鉄道車両の車長方向両端で下方に屈曲する垂下板部を有するものにおいて、
垂下板部に、垂下板部の剛性を高める補強板を取り付けることを特徴とする集電舟。
【考案の詳細な説明】
【技術分野】
【０００１】
本考案は、鉄道車両の屋根上で架線に摺接する摺り板と、摺り板が固定される舟体とを備える集電舟に関する。
【背景技術】
【０００２】
この種の集電舟において、舟体は、一般的に、鉄道車両の車長方向両端で下方に屈曲する垂下板部を有している。このものでは、降雪時に鉄道車両が走行すると、走行風により舟体の垂下板部に雪が付着しやすく、また、舟体の上面に積もった雪が一旦溶け垂下板部で再び凍ってしまいやすい。ここで、集電舟は、ばね等によりパンタグラフを介して押し上げられて、摺り板が架線に摺接するようにしている。そして、舟体に着雪した場合、雪の重みに比し集電舟の押し上げ力が不足して、架線との間で離線アークが発生してしまう。そのため、着雪しやすい舟体の垂下板部の面積を小さくして、垂下板部への着雪量を少量に抑えることが望まれる。
【０００３】
そこで、従来、例えば特許文献１記載のものが知られている。このものでは、舟体の垂下板部の下端部を鉄道車両の車長方向内方に屈曲させ、その内端部を更に上方に屈曲させてその端部を舟体の下面に突き当て、舟体下面に閉断面部を形成している。これによれば、摺り板が架線に摺接するときに舟体が撓まないように剛性を確保しつつ垂下板部の高さ寸法を短くして、垂下板部の面積を小さくすることができる。
【０００４】
然し、このものでは、舟体に閉断面部を形成することで構造が複雑になるため、加工コストが高く、また、閉断面部を通しての摺り板の固定作業が必要となって、その作業に手間がかかってしまう。
【先行技術文献】
【特許文献】
【０００５】
【特許文献１】特開２００１−３３３５０２号公報
【考案の概要】
【考案が解決しようとする課題】
【０００６】
本考案は、以上の点に鑑み、舟体の垂下板部の高さを短くして、且つ、剛性を確保することを、舟体の加工コストアップや摺り板の固定作業性の悪化を招くことなく実現できるようにした集電舟を提供することをその課題としている。
【課題を解決するための手段】
【０００７】
上記課題を解決するために、本考案は、鉄道車両の屋根上で架線に摺接する摺り板と、摺り板が固定される舟体とを備える集電舟であって、舟体は、鉄道車両の車長方向両端で下方に屈曲する垂下板部を有するものにおいて、垂下板部に、垂下板部の剛性を高める補強板を取り付けることを特徴とする。
【０００８】
本考案によれば、舟体の垂下板部の高さ寸法を短くしても、補強板により垂下板部の剛性を確保できる。従って、剛性を確保しつつ垂下板部の高さ寸法を短くして、垂下板部の面積を小さくし、垂下板部への着雪量を少量に抑えることができる。また、舟体の垂下板部に補強板を取り付けるだけであるため、舟体が簡素な構造となり、舟体の加工コストアップを招かない。更に、舟体下面に閉断面部を設けるものと異なり、舟体下面に摺り板を固定するための作業スペースを広く確保することができ、摺り板の固定作業性の悪化を招くこともない。
【図面の簡単な説明】
【０００９】
【図１】本考案の実施形態の集電舟の正面図。
【図２】実施形態の集電舟の平面図。
【図３】実施形態の集電舟の摺り板固定部分の切断側面図。
【考案を実施するための形態】
【００１０】
図１及び図２を参照して、１は、鉄道車両用パンタグラフが具備する本考案の実施形態の集電舟を示している。図３も参照して、集電舟１は、鉄道車両の屋根上で架線に摺接する複数枚の摺り板２と、摺り板２の両側に配置される複数枚の補助摺り板３と、摺り板２及び補助摺り板３が固定される舟体４とを備えている。尚、摺り板２には、下方にのびるボルト２１が固定されており、このボルト２１を舟体４に貫通させた状態で、ボルト２１に下方からナット２２を締め込むことにより舟体４に摺り板２が固定される。
【００１１】
舟体４は、鉄道車両の車長方向両端で下方に屈曲する垂下板部４１を有している。垂下板部４１には、鉄道車両の車長方向外側を向く面に、垂下板部４１の剛性を高める補強板４２がスポット溶接によりに取り付けられている。
【００１２】
ところで、降雪時に鉄道車両が走行すると、走行風により舟体４の垂下板部４１に雪が付着しやすく、また、舟体４の上面に積もった雪が一旦溶け垂下板部４１で再び凍ってしまいやすい。そして、集電舟１は、ばね等によりパンタグラフを介して押し上げられるが、舟体４に着雪した場合、雪の重みに比し集電舟１の押し上げ力が不足して、架線との間で離線アークが発生してしまう。そのため、着雪しやすい舟体４の垂下板部４１の面積を小さくして、垂下板部４１への着雪量を少量に抑えることが望まれる。
【００１３】
ここで、本実施形態では、垂下板部４１に、上記の如く垂下板部４１の剛性を高める補強板４２を取り付けるため、舟体４の垂下板部４１の高さ寸法を短くしても、補強板４２により垂下板部４１の剛性を確保できる。従って、剛性を確保しつつ垂下板部４１の高さ寸法を短くして、垂下板部４１の面積を小さくし、垂下板部４１への着雪量を少量に抑えることができる。また、舟体４の垂下板部４１に補強板４２を取り付けるだけであるため、舟体４が簡素な構造となり、舟体４の加工コストアップを招かない。更に、舟体４の下面に上記従来例の如く閉断面部を設けるものと異なり、舟体４の下面に摺り板２を固定するための作業スペース（ナット２２を締め込むためのスペース）を広く確保することができ、摺り板２の固定作業性の悪化を招くこともない。
【００１４】
以上、本考案の実施形態について図面を参照して説明したが、本考案はこれに限定されない。例えば、上記実施形態では、垂下板部４１にスポット溶接により補強板４２を取り付けているが、ボルトや接着剤を用いて取り付けてもよい。また、上記実施形態では、垂下板部４１の補強板４２の取り付け面を鉄道車両の車長方向外側を向く面としているが、車長方向内側を向く面としてもよい。
【符号の説明】
【００１５】
１…集電舟、２…摺り板、４…舟体、４１…垂下板部、４２…補強板。
【図１】
0003207646.tif 000003
【図２】
0003207646.tif 000004
【図３】
0003207646.tif 000005
(57)【要約】【課題】  消臭効果を発揮すると共に、履物使用者の足に所定の磁力線を与えることができる履物用中敷を提供する。【解決手段】  シート部材１１，１３は、足裏の形状をしている。シート部材１１,１３は重ね合わせた状態で、熱溶着されている。重ね合わされたシート部材１１，１３の間のつま先部と対向する位置に銅板２１が固定されている。重ね合わされたシート部材１１，１３の間の土踏まず部と対向する位置に複数の薄板状の磁石２３１，２３２，２３３が固定されている。【選択図】図１
0003207665.tif 000002
【実用新案登録請求の範囲】
【請求項１】
履物使用者の前踏部と土踏まず部と踵部に対応する足形外郭形状に形成され靴状の履物内底部に敷設される履物用中敷において、
前記履物使用者のつま先部と対向して位置する銅板と、
前記履物使用者の前記土踏まず部に対向して位置する磁石と
を有する履物用中敷。
【請求項２】
通気性を持つ複数のシート部材を重ね合わせて構成され、
前記銅板と前記磁石とは複数の前記シート部材の間に挟み込まれて保持されている
請求項１に記載の履物用中敷。
【請求項３】
前記磁石は、複数の異方性フェライトである
請求項１または請求項２に記載の履物用中敷。
【考案の詳細な説明】
【技術分野】
【０００１】
本考案は、履物用中敷に関するものである。
【背景技術】
【０００２】
靴の中敷き（インソール）に、足のつぼが位置される箇所に合わせて、焼結磁石を埋め込ませるなどして、使用者の足裏に磁気を作用させるようにしたものが知られている。（例えば、特許文献１参照）
【先行技術文献】
【特許文献】
【０００３】
【特許文献１】特開２００７−６１２３５号公報
【考案の開示】
【考案が解決しようとする課題】
【０００４】
ところで、従来の履物用中敷では、消臭効果が得られないという問題がある。また、使用する磁石量に比べて効果が低いという問題がある。
【０００５】
本考案はかかる事情に鑑みてなされたものであり、その目的は、消臭効果を発揮すると共に、履物使用者の足に所定の磁力線を与えることができる履物用中敷を提供することにある。
【課題を解決するための手段】
【０００６】
上述した従来技術の問題点を解決し、上述した目的を達成するために、本考案は、履物使用者の前踏部と土踏まず部と踵部に対応する足形外郭形状に形成され靴状の履物内底部に敷設される履物用中敷であって、前記履物使用者のつま先部と対向して位置する銅板と、前記履物使用者の前記土踏まず部に対向して位置する磁石とを有する。
【０００７】
好適には、本考案は、通気性を持つ複数のシート部材を重ね合わせて構成され、前記銅板と前記磁石とは複数の前記シート部材の間に挟み込まれて保持されている。
【０００８】
好適には、本考案の前記磁石は、複数の異方性フェライトである。
【考案の効果】
【０００９】
本考案によれば、消臭効果を発揮すると共に、履物使用者の足に所定の磁力線を与えることができる履物用中敷を提供することができる。
【図面の簡単な説明】
【００１０】
【図１】図１は、本考案の実施形態に係る履物用中敷の正面図である。
【図２】図２は、図１に示す履物用中敷の図１に示すＡ−Ａ断面線における断面構成図である。
【図３】図３は、図１に示す履物用中敷の図１に示すＢ−Ｂ断面線における断面構成図である。
【考案を実施するための形態】
【００１１】
図１は、本考案の実施形態に係る履物用中敷１の正面図である。図２は、図１に示す履物用中敷１の図１に示すＡ−Ａ断面線における断面構成図である。図３は、図１に示す履物用中敷１の図１に示すＢ−Ｂ断面線における断面構成図である。
【００１２】
図１に示す履物用中敷１は、履物使用者の前踏部と土踏まず部と踵部に対応する足形外郭形状に形成され靴状の履物内底部に敷設されるものである。
図１に示すように、履物用中敷１は、例えば、２枚のシート部材１１，１３を有する。
シート部材１１とシート部材１３とは、足裏の形状をしており、略同一形状である。シート部材１１とシート部材１３とは重ね合わせた状態で、熱溶着されている。
【００１３】
重ね合わされたシート部材１１，１３の間のつま先部と対向する位置に銅板２１が固定されている。
また、重ね合わされたシート部材１１，１３の間の土踏まず部と対向する位置に複数の薄板状の磁石２３１，２３２，２３３が固定されている。
磁石２３１，２３２，２３３は、異方性フェライトである。磁石２３１，２３２，２３３は、例えば、直径８ｍｍｍ、厚み４ｍｍである。
【００１４】
履物用中敷１を履物に敷設した状態で履物使用者が履物を履くと、履物使用者の土踏まず部が磁石２３１，２３２，２３３と対向して位置し、当該土踏まず部に磁石２３１，２３２，２３３からの磁力線が通る。履物使用者の土踏まずに磁石２３１，２３２，２３３からの磁力線が通ると、履物使用者の足の疲れが低減することが
【００１５】
また、履物用中敷１を履物に敷設した状態で履物使用者が履物を履くと、履物使用者がつま先部と銅板２１とが対向して位置し、消臭効果が発揮される。
【００１６】
以上説明したように、履物用中敷１によれば、消臭効果を発揮すると共に、履物使用者の足に所定の磁力線を与えることができ、履物使用者の足の疲れを低減できる。
【００１７】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、上述した実施形態では、つま先部のみに銅板２１を設けた場合を例示したが、つま先部以外にも銅板を設けてもよい。
また、上述した実施形態では、土踏まず部に磁石２３１，２３２，２３３を設けたを例示したが、土踏まず以外の位置に磁石を設けてもよい。また、磁石の数、形状及び大きさは任意である。
【産業上の利用可能性】
【００１８】
本考案の靴等の履物用中敷に適用可能である。
【符号の説明】
【００１９】
１…履物用中敷
１１，１３…シート部材
２１…銅板
２３１，２３２，２３３…磁石
【図１】
0003207665.tif 000003
【図２】
0003207665.tif 000004
【図３】
0003207665.tif 000005
(57)【要約】      （修正有）【課題】成型金型を必要とせず、初回製造コストを大幅に抑えることができるスマートフォンカバーを提供する。【解決手段】ポリウレタン樹脂を使用し、成型ではなく、素材の裁断と縫製４でダイカット１の形状を製造するスマートフォンであって、ダイカット１部分の外周を縫製４したポリウレタン樹脂と熱可塑性ポリウレタンもしくはポリカーボネートのカバーを背面に接着した。【選択図】図１
0003207684.tif 000002
【実用新案登録請求の範囲】
【請求項１】
ポリウレタン樹脂をダイカットにし熱可塑性ポリウレタンもしくはポリカーボネートのカバーを背面に接着したスマートフォンカバー
【請求項２】
ダイカット部分の外周を縫製したポリウレタン樹脂と熱可塑性ポリウレタンもしくはポリカーボネートのカバーを背面に接着した請求項１のスマートフォンカバー
【請求項３】
ダイカット部分のポリウレタン樹脂の間にクッション材をいれ外周を縫製し熱可塑性ポリウレタンもしくはポリカーボネートのカバーを背面に接着した請求項１のスマートフォンカバー
【考案の詳細な説明】
【技術分野】
【０００１】
本案件は成型金型を起こすことなく安価な方法でダイカットスマートフォンカバーを作成することに関する。
【背景技術】
【０００２】
従来、ダイカットスマートフォンカバーは熱可塑性ポリウレタンやシリコーンで成型金型を作り製造されていた。
【考案の概要】
【考案が解決しようとする課題】
【０００３】
本考案は、ダイカットスマートフォンカバーを製造する際に必要だった成型金型を必要とせずダイカットをつくる事ができる為、初回製造コストを大幅に抑えることができる。
【課題を解決するための手段】
【０００４】
本考案は、ポリウレタン樹脂を使用し成型ではなく素材の裁断と縫製でダイカットの形状を製造する。
【考案の効果】
【０００５】
本考案のダイカットスマートフォンカバーは初回の製造コストを大幅に削減できるので、小ロットで様々な形状のダイカットスマートフォンカバーを提供することができる。
【図面の簡単な説明】
【０００６】
【図１】本考案にかかわるダイカットスマートフォンカバーの形状を示したものである。この図面は一例であり形状は自由に変えることができる。
【図２】本考案にかかわるダイカットスマートフォンカバーの側面を示したものである。
【図３】本案件にかかわるダイカットスマートフォンカバーの背面を示したものである。
【考案を実施するための形態】
【０００７】
図２のように様々な形状ポリウレタン樹脂のダイカットをスマートフォンケースと貼り合わせて製造することができる。
【符号の説明】
【０００８】
１  ポリウレタン樹脂ダイカット
２  アクリル粘着部分
３  スマートフォンカバー
４  縫製箇所
【図１】
0003207684.tif 000003
【図２】
0003207684.tif 000004
【図３】
0003207684.tif 000005
(57)【要約】      （修正有）【課題】旅先の宿の客室で干しものをしたい時、コンパクトに折りたためて持ち運びできやすく、キャリーバッグの引き手に取り付けて使用できるキャリーバッグ用ハンガーを提供する。【解決手段】アーム部１の中央に蝶番２を設け、その両脇に固定用のクリップ３を設け、残りの部分にピンチ４を設けた。【選択図】図１
0003207637.tif 000002
【実用新案登録請求の範囲】
【請求項１】
アーム部（１）の中央に蝶番（２）を設け、その両脇に固定用のクリップ（３）を設け、残りの部分にピンチ（４）を設けたキャリーバッグ用ハンガー。
【考案の詳細な説明】
【技術分野】
【０００１】この考案は、アーム部の中央に設けた蝶番の両脇に固定用のクリップを設け、残りの部分にピンチを設けたキャリーバッグ用ハンガーに関するものである。
【背景技術】
【０００２】従来、旅行の際の客室で干しものをする場合、小型ハンガーやロープハンガーを持参して、使用するというものだった。
【考案の概要】
【考案が解決しようとする課題】
【０００３】これは、次のような欠点があった。
従来、旅先の宿の客室で小型ハンガーやロープハンガーを使用するには、適切に引っ掛ける箇所がなければ、使いにくかった。
【課題を解決するための手段】
【０００４】アーム部（１）の中央に蝶番（２）を設け、その両脇に固定用のクリップ（３）を設け、残りの部分にピンチ（４）を設けた構成からなるキャリーバッグ用ハンガーにした。
【考案の効果】
【０００５】二つ折りにしたコンパクトな状態から、アーム部を直線状に伸ばし、引き上げたキャリーバッグの引き手部分に固定用のクリップで取り付けることで、ハンガーとして使用できることになる。
【考案を実施するための形態】
【０００６】以下、本考案の実施の形態について説明する。
アーム部（１）の中央に蝶番（２）を設け、その両脇に固定用のクリップ（３）を設け、残りの部分にピンチ（４）を設ける。本考案は、以上のような構造である。
これを使用するときは、引き上げたキャリーバッグの引き手に固定用のクリップで取り付け、ピンチに干しもの吊るして使う。
【図面の簡単な説明】
【０００７】
【図１】本考案の斜視図である。
【符号の説明】
【０００８】１  アーム部
２  蝶番
３  クリップ
４  ピンチ
【図１】
0003207637.tif 000003
(57)【要約】      （修正有）【課題】上着使用中に身頃のはだけ（乱れを）を回避する事を可能とする柔道衣上着を提供する。【解決手段】上着１の裏面の胴周に両端開孔の帯状に扁平なトンネル状の長い帯通し４を縫合一体化した内部に収納する柔道衣上着用帯５をスライドさせ両端５ａ、５ｂを左右の身頃２、３に開けた帯抜き縦長孔６、７から表に出し、左右の身頃２、３を重ねた上で帯５の両端５ａ、５ｂを結び合わせて締め、上着１のはだけるのを防止可能とする。【選択図】図１
0003207640.tif 000002
【実用新案登録請求の範囲】
【請求項１】
上着裏面の胴周に両端開孔の帯状に扁平なトンネル状の長い帯通しを縫合一体化した内部に収納する柔道衣上着用帯をスライドさせ両端の５ａと５ｂを左右の身頃に開けた帯抜き縦長孔６と７から個別に身頃の表に出し両身頃を重ねた上で帯の両端を結び合わせて締め上着のはだけるのを防止可能とする柔道衣上着。
【請求項２】
請求項１に記載の身頃に開ける帯抜き縦長孔を複数個有する柔道衣上着。
【考案の詳細な説明】
【考案の詳細な説明】
【技術分野】
【０００１】  本考案は、柔道衣上着（以下上着と呼称）の改良に関するもので上着裏に縫合した帯通しを通した帯の両端を個々に左右の身頃に開け帯抜き穴から身頃の表に出し、重ねた左右の身頃の上で帯を結ぶ改良上着に関するものである。
【背景技術】
【０００２】  現在の柔道衣では上着の上に帯を２回巻いて前で結び競技をしている。帯を緩く結んだり、激しく争った場合に競技中に帯から上着が抜けてはだけるのを見かけ、時には審判員が競技を中断し上着の乱れを直すように注意しているのを見かける。【０００３】  これ等の公知例は次項の文献等で拝見するに類似の内容が見当たらない方式である。
【先行技術文献】
【特許文献】
【０００４】
【特許文献１】  実用新案登録第３０１３７２２号
【０００５】
【特許文献２】  実用新案登録第３１２９８９０号
【考案の概要】
【考案が解決しようとする課題】
【０００６】本考案は、従来の柔道衣で競技中に発生する上着の乱れを上着の改良で防止可能とする上着を提供する事を目的とする。
【課題を解決するための手段】
【０００７】上記課題を解決するための手段を、後述する実施形態の参考番号を付して説明すると、改良上着１ではその裏の胴周に複数の帯通し孔を有する上着同等の生地を縫合で一体成形化した帯通し４を通した帯５の両端５ａと５ｂを個々に左右の身頃に設けた帯抜き穴６と７から身頃の表にはみ出させ、左右の身頃を重ね合わせた上を帯５の両端５ａと５ｂとで結び合わせる事を特徴とする。【０００８】請求項２は、請求項１に記載の上着に於いて、身頃に開ける帯抜き孔を縦長穴とする事で帯通しをスムーズに行え且つ帯締め強度を強く出来る事を特徴とする。【０００９】考案の改良上着では上着裏に縫合し成形した帯通しの内側に収まる帯は内部で自在にスライド出来、左右の身頃に設けた帯抜き穴から帯の両端を個々に身頃の表に抜き差しが自在に出来、両身頃を重ね合わせた上で帯の両端を結び締める事が可能である事を特徴とする。【００１０】以上の様な方法で上着を帯で締めるので試合中に帯が解けなければ上着がはだける様な事態は起らない特徴がある。
【考案の効果】
【００１１】柔道は元来柔道衣を着て立技に於いて本領が発揮出来る競技で且つ、技の美しさが有る。然るに、近来の腰を曲げて技を掛ける方法の流行は上着が帯から抜けたり、はだけたりするので組技が掛け難くなり、技の形態が移行したのではと思わざるを得ない。【００１２】考案の改良上着は従来の上着を僅かな改良に依って可能とし、今後はだけない上着の着用が認められれば柔道を柔道本来の美しい技の柔道に戻せるのではないだろうか。
【図面の簡単な説明】
【００１３】
【図１】  本考案に係る上着の各部分を説明するための斜視図である。
【図２】  着用者が着用する状態に上着の左右の身頃を重ね合わせた上で上着の内側から表に出した帯５の両端５ａと５ｂを結んだ状態を示す正面図である。
【考案を実施するための最良の形態】
【００１４】以下に本考案の好適な一実施形態を図面に基ずき説明する。
考案の改良上着１では上着裏面の胴周に両端を開孔した帯状に長く扁平なトンネル状の上着同等の生地を帯通し４として一体に成形縫合し、内部に収納可能な柔道衣上着用帯５の両端５ａと５ｂを左右の身頃に開けた帯抜き縦長孔６と７を個別に通し、身頃２と３の表に出し両身頃を重ねた上で帯の両端を結び合わせて締め上着のはだけるのを防止可能とする柔道衣上着。【００１５】本考案の上着は以上の構成であるから帯の結び目部分が上着の前に出るが帯の中央部分は上着内に収納され、図２の正面図の状態となる。
【符号の説明】
【００１６】１    柔道衣上着
２    右前身頃
３    左前身頃
４    帯通し
５    帯
５ａ  帯の一端
５ｂ  帯の他端
６    身頃の帯抜き孔
７    身頃の帯抜き孔
【図１】
0003207640.tif 000003
【図２】
0003207640.tif 000004
(57)【要約】      （修正有）【課題】軽量で美観に優れた組立コンクリート車庫の構造体を提供する。【解決手段】コンクリート基礎、コンクリート壁、コンクリート勾配屋根を一体とした製品▲１▼と製品▲１▼を反転させた製品▲２▼を接合金物で接合することで組立コンクリート車庫の構造体となる。同じ構造体を組合せることで、組立て式コンクリート車庫となる。【選択図】図１
0003207639.tif 000002
【実用新案登録請求の範囲】
【請求項１】
コンクリート基礎、コンクリート壁、コンクリート勾配屋根を一体とした製品▲１▼と製品▲１▼を反転された製品▲２▼を接合金物により接合することで完成する組立コンクリート車庫の構造体
【考案の詳細な説明】
【技術分野】
【０００１】本考案は組立コンクリート車庫の構造体に関するものである。
【背景技術】
【０００２】従来の組立コンクリート車庫の構造体は地下式でボックスタイプの商品が主流である。【０００３】しかしながら、従来の組立コンクリート車庫の構造体は地下式のために、重く、美観が悪い欠点があった。
【先行技術文献】
【特許文献】
【０００４】
【特許文献１】  特開２００７−１０７２０２
【０００５】
【非特許文献】
【非特許文献】  株式会社ホクコン  総合カタログ２０１６  Ｐ２３８  ホクコンガレージ
【考案の概要】
【考案が解決しようとする課題】
【０００６】本考案は以上のような従来の欠点に鑑み、軽量で美観に優れた組立コンクリート車庫の構造体を提供することを目的としている。
【課題を解決するための手段】
【０００７】基礎、壁、勾配付屋根を一体としたコンクリート製品▲１▼とコンクリート製品▲１▼を反転させたコンクリート製品▲２▼を現場で接合金物により組合せる事で車庫の構造体とする。（図１）
【考案の効果】
【０００８】本考案により工場で製品を作り、現場で組立てることが出来る車庫の構造体となり、車庫の奥行きは構造体を組合せることで自由となる。
【図面の簡単な説明】
【０００９】
【図１】  本考案を実施するための組立コンクリート車庫構造体の透視図である。
【図２】  本考案を実施するための組立コンクリート車庫構造体の平面図である。
【図３】  本考案を実施するための組立コンクリート車庫構造体の正面図である。
【図４】  本考案を実施するための組立コンクリート車庫構造体の側面図である。
【考案を実施するための形態】
【００１０】図１・２．・３に示すようにコンクリート基礎、コンクリート壁、コンクリート勾配屋根を一体とした製品▲１▼と製品▲１▼を反転された製品▲２▼を接合金物により接合することで車庫の構造体となる。この構造体をさらに組合せていくことで奥行きが出来、書庫としての構造体が完成する。
【図１】
0003207639.tif 000003
【図２】
0003207639.tif 000004
【図３】
0003207639.tif 000005
【図４】
0003207639.tif 000006